(57)【特許請求の範囲】
【請求項１】
プラスチックフィルムからなる袋本体の開口部内側に、ベース部に凹部と凸部をそれぞれ形成したプラスチック製のジッパーを溶着したプラスチック製袋において、
前記袋本体のシールされている両側縁部であって前記ジッパーのベース部、凹部及び凸部を含めた両端部は溶融／硬化されており、
前記溶融／硬化部にストラップ取付け用の孔が形成されていること、
を特徴とするプラスチック製袋。
【請求項２】
前記ジッパーは密閉性を備えていることを特徴とする請求項１記載のプラスチック製袋。
【請求項３】
前記孔にストラップが取り付けられていることを特徴とする請求項１又は請求項２記載のプラスチック製袋。
【発明の詳細な説明】
【０００１】
【発明の属する技術分野】
本発明は、プラスチック製袋、詳しくは、プラスチックフィルムからなる袋本体の開口部内側に、ベース部に凹部と凸部をそれぞれ形成したプラスチック製のジッパーを溶着したプラスチック製袋に関する。
【０００２】
【発明の背景と課題】
近年、携帯型の電話機が広く普及しているが、これらに水分の付着は厳禁されている。従って、日常的な場所での使用には問題がなくとも、海や水辺での使用はかなり制限されるか、水分の付着に充分に気を使うことが要求されている。勿論、水に漬けての使用は不可能である。また、夏期に薄着の状態で胸ポケットに携帯電話を裸のまま入れておくと汗で障害が生じるおそれもある。また、携帯電話にはストラップが必要不可欠のものである。
【０００３】
一方、ポリエチレン等のプラスチックフィルムからなる袋本体の開口部内側に、凹部と凸部とからなるプラスチック製のジッパーを溶着したプラスチック製袋が安価に量産されている。ジッパーに密閉性を有するものを使用すれば、収容物を水に濡らしてしまうおそれはない。特に、この種の袋に使用されるフィルムは４０〜２００μｍ程度の厚さであるため、携帯電話を収容しても、フィルムの上からボタン類を操作可能であるばかりか、フィルムを通しての通話に何ら支障を生じることはない。
【０００４】
しかしながら、前記プラスチック製袋はフィルムが薄くて柔らかいが故に、ストラップを通すための孔を形成することができず、持ち運びに不便である。即ち、フィルムの表裏を合わせても８０〜４００μｍであり、これに孔を形成したとしてもストラップを通せば、孔が伸びて破損してしまう。
【０００５】
そこで、本発明の目的は、ストラップを十分な強度で保持することのできる孔を備えたジッパー付きプラスチック製袋を提供することにある。
【０００６】
本発明の他の目的は、前記目的に加えて、密閉性を有し、携帯電話等を水上、水中、水辺等でも支障なく使用できるジッパー付きプラスチック製袋を提供することにある。
【０００７】
【発明の構成、作用及び効果】
以上の目的を達成するため、本発明は、プラスチックフィルムからなる袋本体の開口部内側に、ベース部に凹部と凸部をそれぞれ形成したプラスチック製のジッパーを溶着したプラスチック製袋において、前記袋本体のシールされている両側縁部であって前記ジッパーのベース部、凹部及び凸部を含めた両端部を溶融／硬化させ、該溶融／硬化部にストラップ取付け用の孔を形成したことを特徴とする。
【０００８】
以上の本発明によれば、ストラップを通すための孔は、２枚のプラスチックフィルム及びジッパーのベース部及び凹凸部が溶融／硬化した部分に形成されるため、強度的に何ら問題なくストラップを保持できる。単にドリルや熱針で孔を形成するだけでもよく、あるいは孔に“はとめ”等の留め具を設けてもよい。
【０００９】
特に、本発明においては、前記ジッパーは密閉性を備えていることが好ましい。内部への水分の進入を完全に防止でき、フィルムを通してボタン類の操作や通話が可能であることから、携帯電話の防水袋として最適である。
【００１０】
【発明の実施の形態】
以下、本発明に係るジッパー付きプラスチック製袋の実施形態について、添付図面を参照して説明する。
【００１１】
図１において、本発明の一実施形態である袋１は、当業界で三方シール袋と称されているもので、１枚の透明プラスチックフィルムを下縁部１１で折り返し、下縁部１１及び両側縁部１２，１２を融着し、両側縁部１２，１２をカットして袋本体１０とされている。図１で斜線を付した部分が融着部である。
【００１２】
この袋本体１０の上縁部は開口部１４とされ、開口部１４の内側には、図４に示すジッパー２０あるいは図５に示すジッパー３０が設けられている。これらのジッパー２０，３０は押出し成形品である。ジッパー２０はベース部２１，２１に凹部２２と凸部２３をそれぞれ形成したものである。いま一つのジッパー３０はベース部３１，３１に、密閉シール部として機能する凸部３２と鍵状部３３，３４、及び係合溝部３５と鍵状部３６，３７をそれぞれ形成したものである。
【００１３】
ジッパー２０はいわば簡易タイプであり、完全な密閉性を有するものではないが、防滴機能を有し、汗や水濡れ程度であれば防止できる。ジッパー３０は、商品名ハイパック、エクシールとして昭和高分子株式会社から販売されているもので、機密性を有すると共に、袋本体１０の外側からは開けることができ、内側からは開けることが困難なように構成されている。このジッパー３０の密閉性は防水機能及び気密機能に関してほぼ完全である。
【００１４】
なお、ジッパーとしては、図４、図５に示したもの以外に種々のものを使用することができる。例えば、凹凸部を２段に形成した、一般にダブルチャックと称されている密封タイプのものを使用してもよい。
【００１５】
ところで、袋本体１０の製造時に、三方をシールして両側縁部１２，１２をカットする前に、予めフィルム１０ａ，１０ｂにベース部２１，３１が、図４、図５に示すＡ部、Ｂ部で線状に溶着される。さらに、両側縁部１２，１２であってジッパー２０，３０の両端部を加熱又は超音波によって溶融した後、加圧、冷却することで硬化させる。
【００１６】
即ち、この溶融／硬化部１３は、フィルム１０ａ，１０ｂ及びジッパー２０，３０がそのベース部２１，３１と凹凸部２２，２３又は３２〜３７を含めて溶融して固まった部分であり、図２に示すように、ジッパー２０，３０の幅よりも若干上下方向に広がって形成される。
【００１７】
フィルム１０ａ，１０ｂは、例えば、ポリエチレンとすると、その厚さは４０〜２００μｍであり、ジッパー２０，３０はポリエチレンあるいはポリプロピレンで、ベース部２１，３１の厚さは１５０〜４００μｍである。溶融／硬化部１３はそれらを加えた厚さに凹凸部２２，２３又は３２〜３７の溶融／硬化した部分が加わった厚さとなる。
【００１８】
そして、このような溶融／硬化部１３に円形の孔１５が形成され、この孔１５にストラップ４０が通される（図２参照）。溶融／硬化部１３は前述の厚みを有し、ストラップ４０を保持するのに十分な強度を備えている。また、孔１５は溶融／硬化部１３に形成されているため、袋本体１０の内部の密閉性を損なうこともない。ここで付言すれば、ジッパー２０，３０は押出し成形品であるため、本来的にフィルムよりも固い部材であり、孔を開けても伸びたり、破損したりするおそれは少ない。
【００１９】
また、孔１５は単にドリルや熱針で形成しただけのものでもよく、あるいは補強用に“はとめ”等の留め具を設けてもよい。
【００２０】
なお、側縁部シール幅寸法と溶融／硬化部幅寸法との関係は任意であり、等しくても、大小の差を有していてもよい。図３は、溶融／硬化部１３を側縁部シール幅よりも大きくした例を示す。
【００２１】
以上の如く、前記プラスチック製袋１にあっては、ジッパー２０，３０によって防滴性、防水性が確保され、携帯電話の防水袋として最適である。勿論、フィルム１０ａ，１０ｂを通してボタン類の操作が可能で、かつ、通話も支障なく行うことができる。
【００２２】
しかも、ストラップ４０が十分な強度で取り付けられているため、持ち運びに極めて便利である。また、このプラスチック製袋１は携帯電話を入れた状態で水に浮くので、泳ぎながらでも受信音が聞こえ、通話が可能である。
【００２３】
（他の実施形態）
なお、本発明に係るジッパー付きプラスチック製袋は前記実施形態に限定するものではなく、その要旨の範囲内で種々に変更することができる。
【００２４】
特に、袋本体、ジッパー、ストラップの構成は任意であり、携帯電話用以外にもトランジスタラジオ、ＭＤやＣＤの携帯再生機器等種々の防水用袋として使用することができる。
【００２５】
また、前記実施形態では、図３、図４に示したように、フィルム１０ａ，１０ｂの上端部はフラップ部１０ａ’，１０ｂ’として残されているが、この部分はカットされていてもよい。
【図面の簡単な説明】
【図１】本発明の一実施形態であるプラスチック製袋に携帯電話を入れ、ストラップを付けた状態を示す正面図。
【図２】前記袋のストラップ取付け部分を示す拡大図。
【図３】ストラップ取付け部分の変形例を示す拡大図。
【図４】前記袋に取り付けたジッパーの一例を示す断面図。
【図５】前記袋に取り付けたジッパーの他の例を示す断面図。
【符号の説明】
１…ジッパー付きプラスチック製袋
１０…袋本体
１０ａ，１０ｂ…プラスチックフィルム
１２…側縁部
１３…溶融／硬化部
１４…開口部
１５…孔
２０，３０…ジッパー
２１，３１…ベース部
２２，２３，３２〜３７…係合用凹凸部
４０…ストラップ
【図１】
0003581979.tif 000002
【図２】
0003581979.tif 000003
【図３】
0003581979.tif 000004
【図４】
0003581979.tif 000005
【図５】
0003581979.tif 000006